(57)【要約】      （修正有）【課題】二重軸とした第１、第２入力軸間の軸受のうち、後方の軸受をアウタ側第２入力軸の後端に配置可能にして軸受スパンを大きくし、カウンターシャフトを前端に向けて先細形状にし得る歯車組の配置を提案する。【解決手段】第１入力軸５を包套する歯車組G2,G4,G6の配置に際し、第２入力軸６上の歯車30,32,34のうち、ニードルベアリング８用の軸受収納スペースを提供可能な歯車30,34であって、そのうちの最も低速段の第４速用歯車34をエンジンから最も遠い側に配置し、第４速用歯車34以外の歯車のうち最高速段第６速用歯車30をエンジンに最も近い側に配置し、残りの第２速用歯車を第２入力軸６の両端間に配置する。第２入力軸６の後端および第１入力軸５間にニードルベアリング８収納スペースを確保することができ、ニードルベアリング７，８の軸受スパンを大きくし得ると共に、カウンターシャフト15を前端に向けて先細形状にし得る。【選択図】図２
2005265141.tif 000002
【特許請求の範囲】
【請求項１】
個々のクラッチを介してエンジン回転を選択的に入力される第１入力軸および第２入力軸を具え、第２入力軸を中空として第１入力軸上に回転自在に嵌合し、
第１入力軸をエンジンから遠い第２入力軸の後端より突出させ、この突出した第１入力軸の後端部と、第１および第２入力軸に並置したカウンターシャフトとの間に、グループ分けした一方の変速段グループの歯車組をそれぞれ適宜伝動可能に設け、
第２入力軸および前記カウンターシャフト間に、グループ分けした他方の変速段グループの歯車組をそれぞれ適宜伝動可能に設け、
選択変速段に応じた変速後の回転を、第１入力軸またはカウンターシャフトの後端から軸線方向に出力するようにしたツインクラッチ式マニュアルトランスミッションにおいて、
前記第２入力軸およびカウンターシャフト間に設ける前記他方の変速段グループの歯車組は、第２入力軸上の歯車外径が第１入力軸および第２入力軸間に所定の軸受収納スペースを提供可能な変速段のうち最も低速段の歯車組をエンジンから最も遠い側に配置し、他の変速段のうち最高速段の歯車組をエンジンに最も近い側に配置したことを特徴とするツインクラッチ式マニュアルトランスミッション。
【請求項２】
請求項１に記載のツインクラッチ式マニュアルトランスミッションにおいて、
エンジンから最も遠い側に配置する変速段の歯車組と、エンジンに最も近い側に配置する変速段の歯車組との間に配置する他の変速段の歯車組は、高速段の歯車組ほどエンジン寄りに配置したことを特徴とするツインクラッチ式マニュアルトランスミッション。
【請求項３】
前記第２入力軸およびカウンターシャフト間に設ける前記他方の変速段グループが偶数変速段のグループである、請求項１または２に記載のツインクラッチ式マニュアルトランスミッションにおいて、
第４速の歯車組をエンジンから最も遠い側に配置したことを特徴とするツインクラッチ式マニュアルトランスミッション。
【請求項４】
請求項１乃至３のいずれか１項に記載のツインクラッチ式マニュアルトランスミッションにおいて、
前記第２入力軸およびカウンターシャフト間に設ける前記他方の変速段グループの歯車組をそれぞれ適宜伝動可能にするための噛合機構を全てカウンターシャフト側に配置したことを特徴とするツインクラッチ式マニュアルトランスミッション。
【請求項５】
請求項１〜４のいずれか１項に記載のツインクラッチ式マニュアルトランスミッションにおいて、
前記エンジンに最も近い側に配置した歯車組と、該歯車の隣に配置された歯車組との間に、前記エンジンに最も近い側に配置した歯車組を適宜伝動可能にする専用の噛合機構を配置したことを特徴とするツインクラッチ式マニュアルトランスミッション。
【請求項６】
前記第２入力軸およびカウンターシャフト間に設ける前記他方の変速段グループが第２速、第４速、第６速のグループである、請求項４または５に記載のツインクラッチ式マニュアルトランスミッションにおいて、
第４速の歯車組をエンジンから最も遠い側に配置し、第６速の歯車組をエンジンに最も近い側に配置し、これら歯車組間に第２速の歯車組を配置し、
前記カウンターシャフト側に配置する噛合機構として、第２速および第４速に兼用の噛合機構を第２速の歯車組および第４速の歯車組間に配置し、第６速に専用の噛合機構を第２速の歯車組および第６速の歯車組間に配置したことを特徴とするツインクラッチ式マニュアルトランスミッション。
【発明の詳細な説明】
【技術分野】
【０００１】
本発明は、エンジンとマニュアルトランスミッションとの間に、グループ分けした変速段別の自動クラッチを具え、これら自動クラッチの締結・解放切り替え（掛け替え制御）と、両変速段グループ間での変速段の交互選択とにより自動変速を行わせるのに有用な、所謂ツインクラッチ式マニュアルトランスミッションに関するものである。
【背景技術】
【０００２】
かかるツインクラッチ式マニュアルトランスミッションとしては従来、例えば特許文献１に記載のように、個々の自動クラッチを介してエンジン回転を選択的に入力される第１入力軸および第２入力軸を具え、第２入力軸を中空として第１入力軸上に回転自在に嵌合し、第１入力軸をエンジンから遠い第２入力軸の後端より突出させ、この突出した第１入力軸の後端部と、第１および第２入力軸に並置したカウンターシャフトとの間に、グループ分けした一方の変速段グループの歯車組をそれぞれ適宜伝動可能に設け、第２入力軸およびカウンターシャフト間に、グループ分けした他方の変速段グループの歯車組をそれぞれ適宜伝動可能に設け、選択変速段に応じた変速後の回転を、エンジンに近いカウンターシャフトの前端から径方向に出力するようにしたフロントエンジン・フロントホイールドライブ車（FF車）用のツインクラッチ式マニュアルトランスミッションが知られている。
【０００３】
かかるツインクラッチ式マニュアルトランスミッションの場合、一方の変速段グループにおける変速段を選択すると共に対応する自動クラッチを締結させた状態では、他方の変速段グループにおける何れの変速段も選択させないようにし、変速に当たっては、該他方の変速段グループにおける変速段を選択し、対応する自動クラッチを解放した状態で、上記一方の変速段グループに係わる自動クラッチを解放すると共に、上記他方の変速段グループに係わる自動クラッチを締結する、所謂クラッチの掛け替え制御と、両変速段グループ間での変速段の交互選択とにより自動変速を行わせることができ、マニュアルトランスミッションでありながらその自動変速化が可能となる。
【特許文献１】特開平８−３２００５４号公報
【発明の開示】
【発明が解決しようとする課題】
【０００４】
ところでFF車用のツインクラッチ式マニュアルトランスミッションは、変速後の回転を上記の通りエンジンに近いカウンターシャフトの前端から径方向に取り出すことから、また、変速機の組み立ての都合を考えると、特許文献１に図示されているように、カウンターシャフトをその前端において最大径とし、後端に向けて直径が徐々に小さくなるよう構成するのが好ましい。
【０００５】
しかし、フロントエンジン・リヤホイールドライブ車（FR車）用のツインクラッチ式マニュアルトランスミッションにあっては、選択変速段に応じた変速後の回転を、エンジンから遠い第１入力軸またはカウンターシャフトの後端から軸線方向に出力する必要があることから、また、変速機の組み立ての都合やカウンターシャフトの強度を考えると、カウンターシャフトをその中程（第２入力軸の後端近傍）において最大径とし、この中程から前端および後端に向けて直径が徐々に小さくなるよう構成するのが好ましい。
【０００６】
従って、特許文献１に記載された従来のFF車用ツインクラッチ式マニュアルトランスミッションにおけるカウンターシャフトは、FR車用ツインクラッチ式マニュアルトランスミッションのカウンターシャフトとして用いるには問題がある。
ちなみに本願出願人は、FR車用ツインクラッチ式マニュアルトランスミッションが従来提案されていたとの情報を本願出願時に承知していない。
【０００７】
ところで、カウンターシャフトをその中程において最大径とし、この中程から前端に向けて直径が徐々に小さくなるよう構成するという要求を満足するだけのためなら、第２入力軸およびカウンターシャフト間に設ける変速段グループの歯車組は、高速段であるほどカウンターシャフト上の歯車の外径が小さくなることから、エンジンに近い前側から順に高速段の歯車組を配置すれば足りる。
つまり、エンジンに近いカウンターシャフトの前端に高速段用の小径の歯車が設けられ、エンジンから遠ざかるにつれてカウンターシャフト上の歯車の外径が大きくなるため、カウンターシャフトをその中程において最大径とし、この中程から前端に向けて直径が徐々に小さくなるよう構成するという要求を満足させることができる。
【０００８】
一方、第１入力軸およびこれに回転自在に嵌合した第２入力軸を変速機ケースに支承するに当たっては、特許文献１にも示されている通り、エンジンに近い第２入力軸の前端を変速機ケースに軸受し、第２入力軸から突出する第１入力軸の後端を変速機ケースに軸受して、変速機ケースに対する第１入力軸および第２入力軸の支承を行う。
ところで、上記のようにエンジンから最も遠い側に最低速段の歯車組を配置すると、この歯車組を構成する第２入力軸上の歯車の外径が最も小さいことから、この歯車が第２入力軸の後端および第１入力軸間における環状スペースの大きさを制約してしまう。
【０００９】
この場合、第２入力軸の後端および第１入力軸間の環状スペースにニードルベアリングドルなどの軸受を収納し得なくなる。
かといって、第１入力軸に当該ニードルベアリングが入り込む環状溝を形成したので第１入力軸の強度低下を招き、この対策は採用困難である。
これに代えて、ニードルベアリングを歯車が存在しない位置までエンジン側に移動させることも考えられるが、この場合ニードルベアリングが、第２入力軸の前端および第１入力軸の前端間における軸受に接近して軸受スパンが小さくなり、両入力軸間の軸受剛性が不足気味となって、この対策も採用困難である。
【００１０】
本発明は、上述の実情に鑑み、第２入力軸およびカウンターシャフト間に設ける変速段グループの歯車組を軸線方向に適切に配置することにより、第１入力軸に軸受収納用の環状溝を形成することなく第２入力軸の後端および第１入力軸間の環状スペースに軸受を収納し得るようになすと共に、カウンターシャフトを中程で最大径とし前端に向けて直径が小さくなるよう構成するという前記の要求を満足させ得るようにした、特にFR車に有用なツインクラッチ式マニュアルトランスミッションを提供することを目的とする。
【課題を解決するための手段】
【００１１】
この目的のため、本発明によるツインクラッチ式マニュアルトランスミッションは、請求項１に記載した以下のごときものとする。
先ず前提となるツインクラッチ式マニュアルトランスミッションは、
個々のクラッチを介してエンジン回転を選択的に入力される第１入力軸および第２入力軸を具え、第２入力軸を中空として第１入力軸上に回転自在に嵌合し、
第１入力軸をエンジンから遠い第２入力軸の後端より突出させ、この突出した第１入力軸の後端部と、第１および第２入力軸に並置したカウンターシャフトとの間に、グループ分けした一方の変速段グループの歯車組をそれぞれ適宜伝動可能に設け、
第２入力軸および前記カウンターシャフト間に、グループ分けした他方の変速段グループの歯車組をそれぞれ適宜伝動可能に設け、
選択変速段に応じた変速後の回転を、第１入力軸またはカウンターシャフトの後端から軸線方向に出力するようにしたものである。
【００１２】
かかるツインクラッチ式マニュアルトランスミッションに対し、本発明においては、第２入力軸およびカウンターシャフト間に設ける上記他方の変速段グループの歯車組を以下のように配置する。
つまり、第２入力軸上の歯車外径が第１入力軸および第２入力軸間に所定の軸受収納スペースを提供可能な変速段のうち最も低速段の歯車組をエンジンから最も遠い側に配置し、
他の変速段のうち最高速段の歯車組をエンジンに最も近い側に配置する。
【発明の効果】
【００１３】
かかる本発明のツインクラッチ式マニュアルトランスミッションによれば、第２入力軸およびカウンターシャフト間に設ける変速段グループの歯車組の配置に際し、
第２入力軸上の歯車外径が第１入力軸および第２入力軸間に所定の軸受収納スペースを提供可能な変速段のうち最も低速段の歯車組をエンジンから最も遠い側に配置したから、
第１入力軸に軸受収納用の環状溝を形成することなく、第２入力軸の後端および第１入力軸間に所定の軸受収納スペースを確保することができ、第１入力軸の強度低下を伴うことなく、第２入力軸の後端および第１入力軸間に軸受を収納することが可能となる。
従って本発明によれば、両入力軸間に設ける軸受の軸受スパンを大きくし得て両入力軸間の軸受剛性を高く保つことができる。
【００１４】
本発明によれば更に、第２入力軸およびカウンターシャフト間に設ける変速段グループの歯車組の配置に際し、上記以外の他の変速段のうち最高速段の歯車組をエンジンに最も近い側に配置するため、
当該歯車組を成すカウンターシャフト上の歯車が最高速段故に小径であることから、エンジンに近いカウンターシャフトの前端を小径にすることができ、
カウンターシャフトを中程から前端に向けて直径が小さくなるよう構成するという、前記した組み立て上の要求および強度上の要求をも満足させることができる。
【発明を実施するための最良の形態】
【００１５】
以下、本発明の実施の形態を、図面に示す実施例に基づき詳細に説明する。
図１は、本発明の一実施例になるツインクラッチ式マニュアルトランスミッションの骨子図を示し、図２は、同ツインクラッチ式マニュアルトランスミッションの実体構成図を示し、本実施例においては、このツインクラッチ式マニュアルトランスミッションを、フロントエンジン・リヤホイールドライブ車（FR車）用に有用な以下の構成とする。
【００１６】
図中１は、変速機ケースを示し、この変速機ケース１内に収納した後述の歯車変速機構と、エンジン（図１にクランクシャフト２のみを示す）との間には図１のごとく、奇数変速段（第１速、第３速、第５速、後退）用の自動クラッチC1、および、偶数変速段（第２速、第４速、第６速）用の自動クラッチC2を介在させ、
両クラッチC1，C2はトーショナルダンパ３を介して緩衝下にエンジンクランクシャフト２に結合する。
変速機ケース１内には更に、トーショナルダンパ３を介して常時エンジン駆動されるオイルポンプ４を設け、これからの作動油を媒体として後述するクラッチC1,C2の締結制御を含む変速段選択制御を実行するものとする。
【００１７】
変速機ケース１内に収納した歯車変速機構を、図２も併せ参照しつつ以下に説明するに、これは、奇数変速段クラッチC1および偶数変速段クラッチC2を介してトーショナルダンパ３からのエンジン回転を選択的に入力される第１入力軸５および第２入力軸６を具える。
第２入力軸６は中空とし、これを第１入力軸５上に嵌合するが、両者間の環状スペースにフロント側ニードルベアリング７およびリヤ側ニードルベアリング８を介在させて、内側の第１入力軸５および外側の第２入力軸６を相互に同心状態で回転自在とする。
【００１８】
上記のごとく相互に回転自在に嵌合した第１入力軸５および第２入力軸６の、エンジン側における前端を変速機ケース１の前壁1aに貫通して対応するクラッチC1,C2に結合する。
第２入力軸６の前端外周をボールベアリング９により変速機ケース１の前壁1aに回転自在に支承し、その近傍に上記のフロント側ニードルベアリング７を配置し、リヤ側ニードルベアリング８をエンジンから遠い第２入力軸６の後端に配置する。
第１入力軸５を第２入力軸６の後端から突出させ、この突出した第１入力軸５の後端部5aを変速機ケース１の中間壁1bに貫通すると共に、この貫通部において第１入力軸５の後端部5aをボールベアリング10により変速機ケース１の中間壁1bに回転自在に支承する。
【００１９】
第１入力軸５の後端部5aに同軸に突き合わせて出力軸11を設け、この出力軸11をテーパローラベアリング12およびアキシャルベアリング13により変速機ケース１の後端壁1cに回転自在に支承すると共に、ニードルベアリング14を介して第１入力軸５の後端部5aに回転自在に支承する。
第１入力軸５、第２入力軸６、および出力軸11に並行に配してカウンターシャフト15を設け、これをローラベアリング16,17,18により変速機ケース１の前端壁1a、中間壁1b、および後端壁1cに回転自在に支持する。
カウンターシャフト15の後端にはカウンターギヤ19を一体回転可能に設け、これと同じ軸直角面内に配して出力軸11に出力歯車20を設け、これらカウンターギヤ19および出力歯車20を相互に噛合させてカウンターシャフト15を出力軸11に駆動結合する。
【００２０】
第１入力軸５の後端部5aとカウンターシャフト15との間に奇数変速段（第１速、第３速、後退）グループの歯車組、つまり、エンジンに近いフロント側から順次、第１速歯車組G1、後退歯車組GR、および第３速歯車組G3を配して設ける。
第１速歯車組G1および後退歯車組GRは第２入力軸６の後端と変速機ケース中間壁1bとの間に配置し、第３速歯車組G3は変速機ケース中間壁1bの反対側においてその直近に配置する。
【００２１】
第１速歯車組G1は、第１入力軸５の後端部5aに一体成形した第１速入力歯車21と、カウンターシャフト15上に回転自在に設けた第１速出力歯車22とを相互に噛合させて構成する。
後退歯車組GRは、第１入力軸５の後端部5aに一体成形した後退入力歯車23と、カウンターシャフト15上に回転自在に設けた後退出力歯車24と、これら歯車23,24に噛合してこれら歯車23,24間を逆転下に駆動結合するリバースアイドラギヤ25とで構成し、リバースアイドラギヤ25を、変速機ケース中間壁1bに植設した軸25aにより回転自在に支持する。
第３速歯車組G3は、第１入力軸５の後端部5aに回転自在に設けた第３速入力歯車26と、カウンターシャフト15に駆動結合して設けた第３速出力歯車27とを相互に噛合させて構成する。
【００２２】
カウンターシャフト15には更に、第１速出力歯車22および後退出力歯車24間に配して１速−後退用同期噛合機構28を設け、
そのカップリングスリーブ28aを図示の中立位置から左行させてクラッチギヤ28bに噛合させるとき、第１速出力歯車22がカウンターシャフト15に駆動結合されて後述するごとく第１速を選択可能なものとし、
カップリングスリーブ28aを図示の中立位置から右行させてクラッチギヤ28cに噛合させるとき、後退出力歯車24がカウンターシャフト15に駆動結合されて後述するごとく後退を選択可能なものとする。
【００２３】
第１入力軸５の後端部5aには更に、第３速入力歯車26および出力歯車20間に配して３速−５速用同期噛合機構29を設け、
そのカップリングスリーブ29aを図示の中立位置から左行させてクラッチギヤ29bに噛合させるとき、第３速入力歯車26が第１入力軸５に駆動結合されて後述するごとく第３速を選択可能なものとし、
カップリングスリーブ29aを図示の中立位置から右行させてクラッチギヤ29cに噛合させるとき、第１入力軸５が出力歯車20（出力軸11）に直結されて後述するごとく第５速を選択可能なものとする。
【００２４】
中空の第２入力軸６とカウンターシャフト15との間には、偶数変速段（第２速、第４速、第６速）グループの歯車組、つまり、エンジンに近いフロント側から順次、第６速歯車組G6、第２速歯車組G2、および第４速歯車組G4を配して設ける。
第６速歯車組G6は変速機ケース１の前壁1aに沿うよう第２入力軸６の前端に配置し、第４速歯車組G4は第２入力軸６の後端に配置し、第２速歯車組G2は第２入力軸６の両端間中央部に配置する。
【００２５】
第６速歯車組G6は、第２入力軸６の外周に一体成形した第６速入力歯車30と、カウンターシャフト15上に回転自在に設けた第６速出力歯車31とを相互に噛合させて構成する。
第２速歯車組G2は、第２入力軸６の外周に一体成形した第２速入力歯車32と、カウンターシャフト15上に回転自在に設けた第２速出力歯車33とを相互に噛合させて構成する。
第４速歯車組G4は、第２入力軸６の外周に一体成形した第４速入力歯車34と、カウンターシャフト15上に回転自在に設けた第４速出力歯車35とを相互に噛合させて構成する。
【００２６】
ここで、第２入力軸６とカウンターシャフト15との間に設ける偶数変速段（第２速、第４速、第６速）グループの歯車組G2,G4,G6を上記のように配置した理由、つまり、エンジンに近いフロント側から順次、第６速歯車組G6、第２速歯車組G2、および第４速歯車組G4を配置した理由を説明する。
【００２７】
これら偶数変速段（第２速、第４速、第６速）グループの歯車組G2,G4,G6の配置に当たっては、
第１および第２入力軸５，６間に介在させるニードルベアリング７，８のうち後方のニードルベアリング８を軸受スパンの関係で第２入力軸６の後端近傍に位置させるのが良いという前記の要求、および、カウンターシャフト15は強度上そして歯車の組み立て上、偶数変速段（第２速、第４速、第６速）グループと奇数変速段（第１速、第３速、第５速、後退）グループとの間の境界位置に相当する中程を最大径とし、前端に向かうにつれ直径が漸減する形状であるのが良いという前記の要求に鑑み、
先ず、第２入力軸６上に形成する入力歯車30,32,34のうち、外径が第１入力軸５および第２入力軸６間にニードルベアリング８の軸受収納スペースを提供可能な入力歯車30,34に係わる変速段（第６速および第４速）を選択し、これら変速段のうち最も低速段（第４速）の歯車組G4をエンジンから最も遠い側に配置し、
他の変速段（第６速および第２速）のうち最高速段（第６速）の歯車組G6をエンジンに最も近い側に配置し、
残りの変速段（第２速）の歯車組G2を両側の歯車組G4,G6間に配置する。
【００２８】
なお図示例では、偶数変速段が第２速、第４速、第６速の３個であるため、両側の歯車組間に配置する残りの変速段が第２速のみの１個であって、当該残りの変速段間での配列順が問題になることはないが、両側の歯車組間に配置する残りの変速段が複数である場合これら変速段の歯車組は、カウンターシャフト15を中程から前端に向けて細くするという前記の要求から、高速段の歯車組ほどエンジン寄りに配置すべきであることは言うまでもない。
【００２９】
ところで図示例においては、第２速歯車組G2を成すカウンターシャフト15上の歯車33が、第４速歯車組G4を成すカウンターシャフト15上の歯車35より大径であって、歯車33の設置個所におけるカウンターシャフト15の外径が、歯車35の設置個所における外径よりも大きくなる傾向になるが、このような傾向は、歯車33およびカウンターシャフト15間に環状スペーサ36（図２参照）を介在させる等の対策により容易に解消することができ、カウンターシャフト15を中程から前端に向けて細くするという前記の要求が、前記歯車組の配置によって満足され得なくなるということはない。
【００３０】
カウンターシャフト15には更に、第６速出力歯車31および第２速出力歯車33間に配して６速専用の同期噛合機構37を設け、
そのカップリングスリーブ37aを図示の中立位置から左行させてクラッチギヤ37bに噛合させるとき、第６速出力歯車31がカウンターシャフト15に駆動結合されて後述するごとく第６速を選択可能なものとする。
またカウンターシャフト15には、第２速出力歯車33および第４速出力歯車35間に配して２速−４速用同期噛合機構38を設け、
そのカップリングスリーブ38aを図示の中立位置から左行させてクラッチギヤ38bに噛合させるとき、第２速出力歯車33がカウンターシャフト15に駆動結合されて後述するごとく第２速を選択可能なものとし、
カップリングスリーブ38aを図示の中立位置から右行させてクラッチギヤ38cに噛合させるとき、第４速出力歯車35がカウンターシャフト15に駆動結合されて後述するごとく第４速を選択可能なものとする。
【００３１】
上記の実施例になるツインクラッチ式マニュアルトランスミッションの作用を次に説明する。
動力伝達を希望しない中立（Ｎ）レンジや駐車（Ｐ）レンジにおいては、クラッチC1,C2の双方を締結しておくが、同期噛合機構28,29,37,38のカップリングスリーブ28a,29a,37a,38aを全て図示の中立位置にして、ツインクラッチ式マニュアルトランスミッションが動力伝達を行わないようにする。
前進動力伝達を希望するＤレンジや、後退動力伝達を希望するＲレンジにおいては、オイルポンプ４からの作動油を媒体として以下のごとくに同期噛合機構28,29,37,38のカップリングスリーブ28a,29a,37a,38aおよびクラッチC1,C2を制御することにより各前進変速段や、後退変速段を選択することができる。
【００３２】
Ｄレンジで第１速を希望する場合、締結状態だったクラッチC1を解放し、同期噛合機構28のカップリングスリーブ28aを左行させて歯車22をカウンターシャフト15に駆動結合し、その後クラッチC1を締結する。
これによりクラッチC1からのエンジン回転が第１入力軸５、第１速歯車組G1、カウンターシャフト15、および出力歯車組19,20を経て出力軸11より軸線方向に出力され、第１速での動力伝達を行うことができる。
なお、第１速の選択が発進用のものである時は、それ用にクラッチC1の締結進行制御を行うこと、勿論である。
【００３３】
第１速から第２速へのアップシフトに際しては、締結状態のクラッチC2を解放し、同期噛合機構38のカップリングスリーブ38aを左行させて歯車33をカウンターシャフト15に駆動結合し、その後クラッチC1を解放すると共にクラッチC2を締結すること（クラッチの掛け替え）により第１速から第２速へのアップシフトを行う。
かかるアップシフトの完了後、同期噛合機構28のカップリングスリーブ28aを中立位置に戻して歯車22をカウンターシャフト15から切り離し、その後クラッチC1を締結しておく。
これによりクラッチC2からのエンジン回転が第２入力軸６、第２速歯車組G2、カウンターシャフト15、および出力歯車組19,20を経て出力軸11より軸線方向に出力され、第２速での動力伝達を行うことができる。
【００３４】
第２速から第３速へのアップシフトに際しては、締結状態のクラッチC1を解放し、同期噛合機構29のカップリングスリーブ29aを左行させて歯車26を第１入力軸５に駆動結合し、その後クラッチC2を解放すると共にクラッチC1を締結すること（クラッチの掛け替え）により第２速から第３速へのアップシフトを行う。
かかるアップシフトの完了後、同期噛合機構38のカップリングスリーブ38aを中立位置に戻して歯車33をカウンターシャフト15から切り離し、その後クラッチC2を締結しておく。
これによりクラッチC1からのエンジン回転が第１入力軸５、第３速歯車組G3、カウンターシャフト15、および出力歯車組19,20を経て出力軸11より軸線方向に出力され、第３速での動力伝達を行うことができる。
【００３５】
第３速から第４速へのアップシフトに際しては、締結状態のクラッチC2を解放し、同期噛合機構38のカップリングスリーブ38aを右行させて歯車35をカウンターシャフト15に駆動結合し、その後クラッチC1を解放すると共にクラッチC2を締結すること（クラッチの掛け替え）により第３速から第４速へのアップシフトを行う。
かかるアップシフトの完了後、同期噛合機構29のカップリングスリーブ29aを中立位置に戻して歯車26を第１入力軸５から切り離し、その後クラッチC1を締結しておく。
これによりクラッチC2からのエンジン回転が第２入力軸６、第４速歯車組G4、カウンターシャフト15、および出力歯車組19,20を経て出力軸11より軸線方向に出力され、第４速での動力伝達を行うことができる。
【００３６】
第４速から第５速へのアップシフトに際しては、締結状態のクラッチC1を解放し、同期噛合機構29のカップリングスリーブ29aを右行させて第１入力軸５を出力軸11に直結し、その後クラッチC2を解放すると共にクラッチC1を締結すること（クラッチの掛け替え）により第４速から第５速へのアップシフトを行う。
かかるアップシフトの完了後、同期噛合機構38のカップリングスリーブ38aを中立位置に戻して歯車35をカウンターシャフト15から切り離し、その後クラッチC2を締結しておく。
これによりクラッチC1からのエンジン回転が第１入力軸５、およびカップリングスリーブ29aを経て出力軸11より軸線方向に出力され、第５速（変速比１：１）での動力伝達を行うことができる。
【００３７】
第５速から第６速へのアップシフトに際しては、締結状態のクラッチC2を解放し、同期噛合機構37のカップリングスリーブ37aを左行させて歯車31をカウンターシャフト15に駆動結合し、その後クラッチC1を解放すると共にクラッチC2を締結すること（クラッチの掛け替え）により第５速から第６速へのアップシフトを行う。
かかるアップシフトの完了後、同期噛合機構29のカップリングスリーブ29aを中立位置に戻して第１入力軸５および出力軸11間の直結を解き、その後クラッチC1を締結しておく。
これによりクラッチC2からのエンジン回転が第２入力軸６、第６速歯車組G6、カウンターシャフト15、および出力歯車組19,20を経て出力軸11より軸線方向に出力され、第６速での動力伝達を行うことができる。
【００３８】
なお、第６速から順次第１速へとダウンシフトさせるに際しても、上記アップシフトと逆の制御を行うことにより所定のダウンシフトを行わせることができる。
【００３９】
後退動力伝達を希望するＲレンジにおいては、Ｎレンジで締結状態だったクラッチC1を解放し、同期噛合機構28のカップリングスリーブ28aを右行させて歯車24をカウンターシャフト15に駆動結合し、その後クラッチC1を締結する。
これによりクラッチC1からのエンジン回転が第１入力軸５、後退歯車組GR、カウンターシャフト15、および出力歯車組19,20を経て出力軸11より軸線方向に出力され、この際、後退歯車組GRにより回転方向を逆にされることから、後退変速段での動力伝達を行うことができる。
なお、後退変速段での発進時は、それ用にクラッチC1の締結進行制御を行うこと、勿論である。
【００４０】
ところで、上記の構成になる本実施例のツインクラッチ式マニュアルトランスミッションにおいては、第２入力軸６およびカウンターシャフト15間に設ける偶数変速段グループ（第２速、第４速、第６速）の歯車組G2,G4,G6の配置に際し、
第２入力軸６上の歯車30,32,34のうち、外径が第１入力軸５および第２入力軸６間に介在させるニードルベアリング８用の軸受収納スペースを提供可能な歯車30,34に係わる変速段（第４速、第６速）であって、そのうちの最も低速段（第４速）の歯車組G4をエンジンから最も遠い側に配置したから、
第１入力軸５にニードルベアリング（８）収納用の環状溝を形成することなく、第２入力軸６の後端および第１入力軸５間にニードルベアリング（８）収納スペースを確保することができ、第１入力軸５の強度低下を伴うことなく、第２入力軸６の後端および第１入力軸間５にニードルベアリング８を収納することが可能となる。
従って本実施例によれば、両入力軸５，６間に設けるニードルベアリング７，８の軸受スパンを大きくし得て両入力軸５，６間の軸受剛性を高く保つことができる。
【００４１】
また本実施例によれば、第２入力軸６およびカウンターシャフト15間に設ける偶数変速段グループ（第２速、第４速、第６速）の歯車組G2,G4,G6の配置に際し、更に、上記第４速以外の他の変速段（第２速、第６速）のうち最高速段（第６速）の歯車組G6をエンジンに最も近い側に配置するため、
この歯車組G6を成すカウンターシャフト15上の歯車31が最高速段故に小径であることから、エンジンに近いカウンターシャフト15の前端を小径にすることができ、
カウンターシャフト15を中程から前端に向けて直径が小さくなるよう構成するという、前記した組み立て上の要求および強度上の要求をも満足させることができる。
【００４２】
なお、第２入力軸６およびカウンターシャフト15間に設ける変速段グループが図示の場合の３個よりも多くて、エンジンから最も遠い側およびエンジンに最も近い側に配置する歯車組間に複数の変速段がある場合は、これら複数の変速段の歯車組を高速段の歯車組ほどエンジン寄りに配置することで、カウンターシャフト15を中程から前端に向けて細くするという前記の要求を満足させることができる。
【００４３】
また、第２入力軸６およびカウンターシャフト15間に設ける変速段グループが図示例のように偶数変速段グループである場合、偶数変速段が図示例のように３個だけでなくそれ以上である場合においても、実用上好適な変速比との関係において図示例と同じく第４速が前記の要求を満足し、第４速歯車組G4をエンジンから最も遠い側に配置するのが実用的であることを確かめた。
【００４４】
更に本実施例においては、第２入力軸６およびカウンターシャフト15間に設ける変速段グループ（第２速、第４速、第６速）の歯車組G2,G4,G6をそれぞれ適宜伝動可能にするための同期噛合機構38,37を全てカウンターシャフト15側に配置したから、
中空のため、また径方向スペースの制約で薄肉になる傾向にある第２入力軸６上に同期噛合機構38,37を設ける必要がなく、第２入力軸６の剛性低下を回避することができて大いに有利である。
【００４５】
本実施例においては更に、第２入力軸６およびカウンターシャフト15間に設ける変速段グループ（第２速、第４速、第６速）の歯車組G2,G4,G6のうち、エンジンに最も近い側に配置した歯車組G6と、その隣に配置された歯車組G2との間に、エンジンに最も近い側に配置した歯車組G6を適宜伝動可能にする専用の噛合機構37を配置したから、
この噛合機構37と歯車組G2（歯車33）との間に、クラッチギヤ37bのようなクラッチギヤを含む同期噛合用の構造物が存在せず、その分歯車組G2（歯車33）を、変速機ケース前壁1aに対するカウンターシャフト15の軸承部（ローラベアリング）16に接近させ得て、大減速比故に大きなトルクを伝達する歯車組G2（歯車33）の支持剛性を、当該大トルクに耐え得るよう十分なものにすることができる。
【００４６】
なお図示例のように、第２入力軸６およびカウンターシャフト15間に設ける変速段グループ（第２速、第４速、第６速）の歯車組G2,G4,G6を前記のように配置し、これら歯車組G2,G4,G6を適宜伝動可能にするための噛合機構38,37をカウンターシャフト15側に配置し、カウンターシャフト15側に配置する噛合機構として、第２速および第４速に兼用の噛合機構38を第２速の歯車組G2および第４速の歯車組G4間に配置し、第６速に専用の噛合機構37を第２速の歯車組G2および第６速の歯車組G6間に配置する場合、前記した諸々の作用効果を全て奏することができ、FR車用の前進６速ツインクラッチ式マニュアルトランスミッションとして大いに有利である。
【図面の簡単な説明】
【００４７】
【図１】本発明の一実施例になるツインクラッチ式マニュアルトランスミッションを示す骨子図である。
【図２】同ツインクラッチ式マニュアルトランスミッションの実体構成を示す縦断側面図である。
【符号の説明】
【００４８】
１  変速機ケース
1a  変速機ケース前壁
1b  変速機ケース中間壁
1c  変速機ケース後壁
２  エンジンクランクシャフト
C1  奇数変速段クラッチ
C2  偶数変速段クラッチ
３  トーショナルダンパ
４  オイルポンプ
５  第１入力軸
5a  第１入力軸後端部
６  第２入力軸
７  フロント側ニードルベアリング
８  リヤ側ニードルベアリング
11  出力軸
15  カウンターシャフト
19  カウンターギヤ
20  出力歯車
G1  第１速歯車組
G2  第２速歯車組
G3  第３速歯車組
G4  第４速歯車組
G6  第６速歯車組
GR  後退歯車組
28  １速−後退用同期噛合機構
29  ３速−５速用同期噛合機構
37  ６速用同期噛合機構
38  ２速−４速用同期噛合機構
【図１】
2005265141.tif 000003
【図２】
2005265141.tif 000004